(57)【要約】【課題】画像形成装置の放熱効率を向上すること。【解決手段】画像形成装置１００の装置筐体１１０であって、装置筐体１１０の一部であり画像形成装置１００の動作により発生した熱を吸収する横支柱１１３と、横支柱１１３の熱伝導性を高めるファン１１３ａ、１１３ｂと、横支柱１１３が吸収した熱を放熱する縦支柱１１１、１１２とをそなえるようにした。【選択図】  図３
2008188940.tif 000002
【特許請求の範囲】
【請求項１】
発生した熱を吸収する管状部材と、前記管状部材の熱伝導性を高める熱伝導手段と、前記管状部材が吸収した熱を放熱する放熱部と、を備えることを特徴とする筐体。
【請求項２】
前記熱伝導手段は、前記管状部材内部に気流を生成するファンであることを特徴とする請求項１に記載の筐体。
【請求項３】
前記熱伝導手段は、前記管状部材内壁に設けられた毛細管構造部材と、前記管状部材内部に封入された熱媒体と、を備え、前記管状部材を冷却パイプとして機能させることを特徴とする請求項１に記載の筐体。
【請求項４】
前記放熱部は、前記筐体の一部に設けられた通気孔であることを特徴とする請求項１乃至３いずれか１項に記載の筐体。
【請求項５】
画像形成を実行する画像形成部と、
前記画像形成部を収容可能に構成され、前記画像形成部により発生した熱を吸収する管状部材と、前記管状部材の熱伝導性を高める熱伝導手段と、前記管状部材が吸収した熱を放熱する放熱部と、を有する筐体と、
を備えることを特徴とする画像形成装置。
【請求項６】
前記画像形成部は回転型のディスク記憶装置を有し、
前記管状部材は前記ディスク記憶装置の動作により発生した熱を吸収することを特徴とする請求項５に記載の画像形成装置。
【請求項７】
前記放熱部は、当該画像形成装置が画像形成を実行する用紙を格納する用紙格納部であることを特徴とする請求項５又は６に記載の画像形成装置。
【請求項８】
前記管状部材は、前記ディスク記憶装置と直接若しくは他の熱伝導性部材を介して連接していることを特徴とする請求項６に記載の画像形成装置。
【請求項９】
画像形成装置の冷却方法であって、
前記画像形成装置の動作により発生した熱を筐体により吸収し、
吸収した熱を筐体の他の部位に伝導し、
伝導した熱を前記筐体外部に放出することを特徴とする画像形成装置の冷却方法。
【発明の詳細な説明】
【技術分野】
【０００１】
本発明は、筐体、画像形成装置、及び画像形成装置の冷却方法に関し、特に回転型のディスク記憶装置を有する画像形成装置の冷却技術に関する。
【背景技術】
【０００２】
近年、情報の電子化が推進される傾向にあり、電子化された情報の出力に用いられるプリンタやファクシミリ、書類の電子化に用いるスキャナ等の画像形成装置は欠かせない機器となっている。このような画像形成装置は、撮像機能、画像形成機能及び通信機能等を備えることにより、プリンタ、ファクシミリ、スキャナ、複写機として利用可能な複合機として構成されることが多い。このような画像形成装置がＨＤＤ（Hard Disk Drive）等のディスク記憶装置を有し、出力画像及び撮像画像を蓄積することにより、利便性を高めることが近年知られている。画像形成装置は、作像機構や撮像機構及び機械的な動作等、その動作によって熱が発生する。従って、装置動作により発生した熱を効率良く装置外部へ放熱する必要がある。従来の画像形成装置においては、装置の各部に放熱用のファンを設け、そのファンによって熱を装置外部へ放熱している。また、ゼーベック素子を利用することにより、装置内の発熱源から発生した熱を有効利用する方法が提案されている（例えば特許文献１参照）。
【特許文献１】特開２００６−２３６１７公報
【発明の開示】
【発明が解決しようとする課題】
【０００３】
ＨＤＤはその動作温度の許容範囲に限界がある。これは、ＨＤＤ内において情報を保持する磁気記録媒体の磁化特性が温度によって変化すること等による。従って、ＨＤＤを搭載する画像形成装置は、装置としての動作だけでなく、ＨＤＤの動作において許容される温度範囲内で動作する必要がある。そのため、装置の方熱効率の更なる向上が望まれる。このような課題は、記憶媒体として磁気ディスクを用いる記憶装置のみならず、その他の記憶装置においても同様に問題となり得る。
本発明は、上述した実情を考慮してなされたもので、画像形成装置の放熱効率を向上することを目的とする。
【課題を解決するための手段】
【０００４】
上記の課題を解決するために、請求項１に記載の発明は、発生した熱を吸収する管状部材と、前記管状部材の熱伝導性を高める熱伝導手段と、前記管状部材が吸収した熱を放熱する放熱部と、を備える筐体を特徴とする。
また請求項２に記載の発明は、請求項１に記載の筐体において、前記熱伝導手段は、前記管状部材内部に気流を生成するファンであることを特徴とする。
また請求項３に記載の発明は、請求項１に記載の筐体において、前記熱伝導手段は、前記管状部材内壁に設けられた毛細管構造部材と、前記管状部材内部に封入された熱媒体と、を備え、前記管状部材を冷却パイプとして機能させることを特徴とする。
また請求項４に記載の発明は、請求項１乃至３いずれか１項に記載の筐体において、前記放熱部は、前記筐体の一部に設けられた通気孔であることを特徴とする。
【０００５】
また請求項５に記載の発明は、画像処理を実行する画像形成部と、前記画像形成部を収容可能に構成され、前記画像形成部により発生した熱を吸収する管状部材と、前記管状部材の熱伝導性を高める熱伝導手段と、前記管状部材が吸収した熱を放熱する放熱部と、を有する筐体と、を備える画像形成装置を特徴とする。
また請求項６に記載の発明は、請求項５に記載の画像形成装置において、前記画像形成部は回転型のディスク記憶装置を有し、前記管状部材は前記ディスク記憶装置の動作により発生した熱を吸収することを特徴とする。
また請求項７に記載の発明は、請求項５又は６に記載の画像形成装置において、前記放熱部は当該画像形成装置が画像形成を実行する用紙を格納する用紙格納部であることを特徴とする。
また請求項８に記載の発明は、請求項６に記載の画像形成装置において、前記管状部材は、前記ディスク記憶装置と直接若しくは他の熱伝導性部材を介して連接していることを特徴とする。
また請求項９に記載の発明は、画像形成装置の冷却方法であって、前記画像形成装置の動作により発生した熱を筐体により吸収し、吸収した熱を筐体の他の部位に伝導し、伝導した熱を前記筐体外部に放出することを特徴とする。
【発明の効果】
【０００６】
本発明によれば、画像形成装置の放熱効率を向上することが可能となる。
【発明を実施するための最良の形態】
【０００７】
以下、図面を参照して、本発明の実施形態を詳細に説明する。
本発明は、プリンタ、スキャナ、複写機、ファクシミリ及びそれらを結合させた複合機等の画像形成装置において、装置の筐体を構成する柱等の構造物に吸熱、伝熱及び放熱機能を持たせることにより、装置の冷却効率の向上を図る。
［実施例１］
図１は、本実施例にかかる画像形成装置１００の背面から側面の外観を模式的に示す斜視図である。図１においては、装置の一部を透過させて示す。本実施例に係る画像形成装置１００は、Ａ０サイズのスキャン及びプリントアウトが可能な大型の画像形成装置であり、装置筐体１１０にはスキャナユニット１０１、プリンタユニット１０２、給紙トレイ１０３、コントローラ１０４及びＨＤＤ１０５等の画像形成部を有する。また、装置筐体１１０は、縦支柱１１１、１１２及び横支柱１１３を有する。尚、図１においては、装置筐体１１０を破線で、縦支柱１１１、１１２及び横支柱１１３を実線で示し、その他の、画像形成装置１００に含まれる内部構成物を点線で示している。
【０００８】
スキャナユニット１０１は、書類原稿等の撮像対象を光学的に走査し、光学情報を電子情報に変換する撮像機である。プリンタユニット１０２は、印刷用紙等の作像対象に対して、インクジェットや電子写真方式等の作像機構により画像形成を行う画像形成機である。給紙トレイ１０３は、プリンタユニット１０２において画像形成を実行するための用紙を収納するトレイである。コントローラ１０４は、画像形成装置１００全体の動作を制御する制御部であると共に、外部のホスト装置との接続部でもある。
ＨＤＤ１０５は、磁気ディスク記憶媒体を有するディスク記憶装置であり、コントローラ１０４に接続されている。ＨＤＤ１０５には、アドレス帳、追加フォント及び蓄積文書等が格納されている。縦支柱１１１、１１２及び横支柱１１３は、画像形成装置１００の装置筐体１１０を構成する構造物であると共に、画像形成装置１００の動作において発生した熱を吸熱、伝熱及び放熱する機能を有する。
【０００９】
次に、本実施例に係る画像形成装置１００の通常動作について説明する。画像形成装置１００がプリンタとして動作する場合は、コントローラ１０４がＵＳＢ（Universal Serial Bus）やＬＡＮ（Local Area Network）を介して受信した印刷ジョブに従って画像形成装置１００を駆動する。この時、コントローラ１０４は給紙トレイ１０３から印刷用紙を引き出し、プリンタユニット１０２に搬送すると共に、印刷ジョブに含まれる画像情報から印刷情報を生成してプリンタユニット１０２に入力する。また、コントローラ１０４は、印刷ジョブに基づいて生成した印刷情報をＨＤＤ１０５にスプールする。プリンタユニット１０２は、コントローラ１０４の制御に従い、給紙トレイ１０３から搬送される用紙に対して、コントローラ１０4から入力される印刷情報に従って画像形成を実行する。
【００１０】
画像形成装置１００がスキャナとして動作する場合は、スキャナユニット１０１にセットされた撮像対象原稿をスキャナユニット１０１に含まれるＣＣＤ等の撮像素子が走査し、光学情報から画像情報を生成する。コントローラ１０４は、スキャナユニット１０１が生成した画像情報を受信し、ＨＤＤ１０５に格納する。画像形成装置１００が複写機として動作する場合は、スキャナとして動作する場合と同様に、スキャナユニット１０１にセットされた撮像対象原稿をスキャナユニット１０１に含まれるＣＣＤ等の撮像素子が走査し、光学情報から画像情報を生成する。コントローラ１０４は、スキャナユニット１０１が生成した画像情報をＨＤＤ１０５に格納すると共に、その画像情報に基づいて印刷情報を生成し、その印刷情報に基づいてプリンタ動作の場合と同様にプリンタユニット１０２を駆動する。
【００１１】
画像形成装置１００がファクシミリとして動作する場合は、受信の場合、コントローラ１０４が電話回線を介して文書情報を受信し、受信した文書情報をＨＤＤ１０５に格納すると共に、その文書情報に基づいてプリンタ動作の場合と同様にプリンタユニット１０２を駆動する。また、送信の場合は、スキャナユニット１０１にセットされた撮像対象原稿をスキャナユニット１０１に含まれるＣＣＤ等の撮像素子が走査し、光学情報から画像情報を生成する。コントローラ１０４は、スキャナユニット１０１が生成した画像情報をＨＤＤ１０５に格納すると共に、電話回線を介して画像情報を送信する。また、画像形成装置１００は画像情報を蓄積するサーバーとしての機能も有し、コントローラ１０４がＵＳＢやＬＡＮ等のインターフェースを介して外部のホスト装置との間で画像情報を送受信する。
【００１２】
このような画像形成装置１００の動作において、装置各部で熱が発生する。本実施例に係る要旨は、装置筐体１１０の一部である縦支柱１１１、１１２及び横支柱１１３に吸熱、伝熱及び放熱機能を付加することである。以下、本実施例に係る縦支柱１１１、１１２及び横支柱１１３について説明する。
図２は本実施例に係る画像形成装置１００の一部の側面図であり、図３は図２の切断線Ａ−Ａ断面図である。図２、図３においても、図１と同様に一部を透過させて示し、点線、破線を用いて各部を示す。
装置筐体１１０は、スキャナユニット１０１が含まれる上部筐体１１０ａと、プリンタユニット１０２、給紙トレイ１０３、及びコントローラ１０４が含まれる下部筐体１１０ｂとに分割可能であり、下部筐体１１０ｂ上に上部筐体１１０ａが載置された状態となっている。また、下部筐体１１０ｂ内部においては、低部に近い方、即ち下側にコントローラ１０４及び給紙トレイ１０３が配置され、その上部、即ち鉛直上方にプリンタユニット１０２が配置されている。縦支柱１１１、１１２は、下部筐体１１０ｂにおける縦方向、即ち鉛直方向の支えとなる柱であり、横支柱１１３は、下部筐体１１０ｂ内部において上方に配置されているプリンタユニット１０２を支える役割を担う。
【００１３】
縦支柱１１１、１１２及び横支柱１１３は、共に熱伝導率の高い金属製材料で構成されている。また、縦支柱１１１、１１２及び横支柱１１３は内部が中空の管上の部材であり、横支柱１１３に設けられたファン１１３ａ、１１３ｂによって、横支柱１１３の一端から他端側に気流が生成される。
また、縦支柱１１１と横支柱１１３及び縦支柱１１２と横支柱１１３とは、図３に示すように内部の中空部分が連通している。従って、縦支柱１１１、１１２及び横支柱１１３内部の空気は、縦支柱１１１、１１２及び横支柱１１３内部を流動可能である。更に、縦支柱１１１、１１２には、夫々通気孔１１１ａ、１１２ａが設けられており、縦支柱１１１、１１２及び横支柱１１３内部への吸気及び外部への排気が可能である。通気孔１１１ａ、１１２ａは、夫々縦支柱１１１、１１２において、横支柱１１３の長手方向、即ち横支柱１１３の管方向において、横支柱１１３と重なる位置に設けられている。換言すると、通気孔１１１ａ、１１２ａは、縦支柱１１１、１１２において、画像形成装置１００、即ち装置筐体１１０の側面であって、横支柱１１３と同じ高さに設けられている。
これにより、通気孔１１１ａ、１１２ａのうち一方からスムーズに外気を吸気し、他方からスムーズに排気することができるため、冷却効率を高めることができる。このように、横支柱１１３は、装置筐体１１０の一部でありながら、吸熱、冷却用パイプとして機能する。
【００１４】
次に、下部筐体１１０ｂにおける縦支柱１１１、１１２及び横支柱１１３並びにコントローラ１０４、ＨＤＤ１０５の位置関係について説明する。コントローラ１０４は、ＵＳＢやＬＡＮ等、外部と接続する各種のインターフェースが設けられるため、その接続部が外部に露出するように配置されている。
本実施例において、コントローラ１０４は、図２に示すように下部筐体１１０ｂの背面近傍に配置されている。また、コントローラ１０４は、縦支柱１１１と１１２との間に配置されている。更に、コントローラ１０４は、横支柱１１３の下方に配置されている。即ち、コントローラ１０４は、縦支柱１１１、１１２及び横支柱１１３に囲まれるように配置されている。ＨＤＤ１０５は、コントローラ１０４と横支柱１１３との間、即ち、コントローラ１０４の鉛直上方であって、横支柱１１３の鉛直下方の空間Ｓに配置されている。換言すると、ＨＤＤ１０５と横支柱１１３とは、空間Ｓを挟んで対向して配置されている。
【００１５】
このような配置において、ＨＤＤ１０５において発生した熱は空間Ｓに放出される。空間Ｓは横支柱１１３によって区切られる空間であり、空間Ｓと横支柱１１３とは隣接している。従って、横支柱１１３は空間Ｓに放出された熱を吸収する。横支柱１１３はファン１１３ａ、１１３ｂによって生成される気流により冷却され、結果的にＨＤＤ１０５によって発生した熱が冷却される。換言すると、横支柱１１３が吸収した熱は、ファン１１３ａ、１１３ｂによって生成された気流により、縦支柱１１１、１１２のいずれか一方若しくは両方に伝えられる。
即ち、ファン１１３ａ、１１３ｂは、横支柱１１３の熱伝導性を高める熱伝導手段として機能する。ファン１１３ａ、１１３ｂによって生成された気流は、縦支柱１１１、１１２に設けられた通気孔１１１ａ、１１２ａから排気される。従って、通気孔１１１ａ、１１２ａは、横支柱１１３が吸収した熱を放出する放熱部として機能する。縦支柱１１１、１１２及び横支柱１１３は、上述した通り装置筐体１１０の一部であり、冷却機能を有さない支柱としてであれば従来から存在する。
従って、本実施例に係る冷却機構を有する横支柱１１３は従来の構造物に対して内部の空間に気流を生成すると共に、その気流の吸気及び排気孔を設けることによって実現することができるため、従来の装置に大幅な設計変更を加えることなく容易に実装可能である。
【００１６】
以上説明したように、本実施例に係る画像形成装置１００においては、支柱などの装置筐体内部の空洞に気流を生成して冷却機能を持たせることにより、装置筐体に対して大幅な設計変更を加えることなく、画像形成装置の放熱効率を向上することが可能となる。
上記説明したような画像形成装置の冷却技術は、特に画像形成装置の用途、形態に関わらず適用することが可能であるが、例えば、Ａ０サイズ等の、大型の撮像若しくは作像を可能とする画像形成装置は、その装置筐体において管状の支柱などを用いることが多いため、本発明の適用が容易であると共に、装置筐体が大型である程、管状部材の内部に形成される気流路も広くなるため、より高い効果を得ることができる。
尚、上記の説明においては、縦支柱１１１、１１２において、横支柱１１３の長手方向に横支柱１１３と重なる位置に通気孔１１１ａ、１１２ａを設ける例を説明したが、その他の位置に設けても良い。また、縦支柱１１１、１１２において夫々複数設けても良い。
【００１７】
また、上記の説明においては、通気孔１１１ａ、１１２ａを画像形成装置１００若しくは装置筐体１１０の側面に設ける例を説明した。この場合、横支柱１１３の長手方向、即ち横支柱１１３内部の気流方向に対してスムーズに吸気及び排気を行うことが可能である。しかしながら、吸気孔及び排気孔近傍に他の装置を設置することが出来ない。これに対し、鉛直方向に開口を形成することにより、画像形成装置１００の設置位置及び画像形成装置１００に隣接して設置する他の装置の設置位置に関わらず装置を設置することが可能となる。
また、上記の説明においては、空間Ｓを介してＨＤＤ１０５の冷却効率を高める例を説明したが、例えばＨＤＤ１０５を横支柱１１３に直接若しくは他の熱伝導性部材を介して当接させて配置しても良い。これにより、ＨＤＤ１０５から横支柱１１３への吸熱効果を更に向上することができる。また、上記の説明においては、横支柱１１３内部に気流を生成する例を説明したが、縦支柱１１１、１１２内部に気流を生成しても良い。例えば、ＨＤＤ１０５を縦支柱１１１の近傍若しくは縦支柱１１１に当接して配置し、縦支柱１１３内部に気流を生成することによって上記と同等の効果を得ることが出来る。更には、置筐体１１０を構成する他の部位に上記のような冷却機能を持たせても良い。
【００１８】
また、上記の説明においては、横支柱１１３内にファンを配置して気流を生成する例を説明したが、例えば、通気孔１１１ａ、１１２ａにファンを配置し、ファンが生成する気流によって吸気、排気を行っても良い。更には、複数の箇所にファンを設けても良い。また、空間Ｓの冷却効率向上のために、空間Ｓに気流を発生させても良い。例えば、空間Ｓから縦支柱１１１、１１２に連通する通気孔を設け、横支柱１１３内部に発生している気流と同時に通気孔１１１ａ、１１２ａから排気することにより実現することができる。これにより、よりＨＤＤ１０５の冷却効率を向上することができる。また、上記の説明においては、ＨＤＤ１０５の冷却効率を前提として説明しているが、装置筐体１１０を構成する構成物に冷却機能を持たせることにより、画像形成装置１００全体の冷却効率を向上することが可能であり、スキャナユニット１０１、プリンタユニット１０２及び給紙路に設けられる搬送ローラ等において発生する画像形成装置１００全体の熱の冷却効果を向上することが可能となる。
【００１９】
［実施例２］
本実施例においては、装置筐体の一部である縦支柱及び横支柱を冷却パイプとして構成する例を説明する。尚、実施例１と同様の符号を付す構成については実施例１と同一又は相当部を示し、説明を省略する。図４は、本実施例に係る画像形成装置１００の側面図であり、図５は図４の切断線ＢＢによる断面図である。
図４に示すように、本実施例に係る画像形成装置１００の装置筐体１１０は、冷却パイプ（ヒートパイプ）として構成された横支柱１１３及び内部が中空でありファン１１１ｂ、１１２ｂを有する縦支柱１１１、１１２を有する。また、本実施例に係る横支柱１１３と縦支柱１１１、１１２とは連通しておらず、横支柱１１３は密閉されている。本実施例に係る画像形成装置１００においては、ＨＤＤ１０５が横支柱１１３に当接して配置されている。これにより、ＨＤＤ１０５から横支柱１１３への熱伝導性が向上する。
【００２０】
横支柱１１３は、内壁に毛細管構造を有する金属製の柱であり、内部は真空で少量の液体若しくは代替フロン等（以降、作動液とする）が封入されている。横支柱１１３の外壁は、ＨＤＤ１０５との当接部及び縦支柱１１１、１１２との連結部は熱伝導性の高い材料で構成され、その他の部位は断熱性の高い材料で構成されている。画像形成装置１が動作し、ＨＤＤ１０５に熱が発生すると、その熱によって横支柱１１３のＨＤＤ１０５と当接している部分が加熱される。これにより、横支柱１１３内部の作動液が蒸発して気化し、この時の気化熱により潜熱として熱が横支柱１１３内部に取り込まれる。横支柱１１３内部では、作動液が蒸発した気体が横支柱１１３内部を高速（略音速）で低温部の方向へ移動することにより、ＨＤＤ１０５との当接部から吸収した熱が縦支柱１１１、１１２に伝えられる。縦支柱１１１、１１２はファン１１１ｂ、１１２ｂが生成する気流によって冷却されており、これにより、作動液が凝縮（液化）して蒸発潜熱を放出し、横支柱１１３から縦支柱１１１、１１２に熱が伝えられる。即ち、縦支柱１１１、１１２が放熱部として機能する。凝縮した液体は毛細管現象により横支柱１１３の加熱部であるＨＤＤ１０５との当接部に移動（還流）する。以上一連の動作により、ＨＤＤ１０５において発生した熱が連続的に冷却され続ける。
【００２１】
以上説明したように、本実施例に係る画像形成装置１００においては、横支柱１１３内部に設けられた毛細管構造部材及び横支柱１１３内部に封入された熱媒体としての液体が熱伝導手段として機能することにより、横支柱１１３を冷却パイプとして機能させ、装置内部から外部への熱伝導機能を持たせることにより、装置筐体に対して大幅な設計変更を加えることなく、画像形成装置の放熱効率を向上することが可能となる。
尚、上記の説明においては、ＨＤＤ１０５と当接する横支柱１１３を冷却パイプとして構成する例を説明したが、ＨＤＤ１０５の冷却に限らず、その他部位において発生した熱を放熱するために、装置筐体１１０の他の部位を冷却パイプとして構成しても良い。また、上記の説明においては、ＨＤＤ１０５をそのまま横支柱１１３に当接させる例を説明したが、横支柱１１３のＨＤＤ１０５との当接部形状を、その当接面積を広げるように形成することにより、更にＨＤＤ１０５の冷却効率を向上することができる。尚、横支柱１１３をＨＤＤ１０５にそのまま当接させることにより、横支柱１１３の外形として特に形状変更を伴うことなく実装することが可能であるため、横支柱１１３のＨＤＤ１０５との当接部形状は、適宜選択され構成されることが好ましい。
【００２２】
また、上記の説明においては、縦支柱１１１、１１２内部に気流を発生させて冷却機能を持たせる例を説明したが、その他、例えば縦支柱１１１、１１２の形状を、ヒートシンクのような放熱機能を高める形状とすることによっても、上記と同等の効果を得ることができる。この場合、ファンの回転による騒音の防止や消費電力等の点で有意である。また、上記の説明においは、横支柱１１３を冷却パイプとして構成する場合として、その機能を具体的に説明したが、この他、縦支柱１１１、１１２及び横支柱１１３等の装置筐体１１０を構成する管状の部材内部に液体を循環させる事等によっても、装置筐体１１０に冷却機能を付与し、画像形成装置１００の冷却効率を向上することができる。
【００２３】
［その他の実施例］
実施例１、実施例２においては、ＨＤＤ１０５において発生した熱を横支柱１１３の機能により縦支柱１１１、１１２に伝え、縦支柱１１１、１１２において冷却若しくは放熱する例を説明した。この他、例えば縦支柱１１１、１１２内部の空気を給紙トレイ１０３に導くように気流を生成する、即ち、給紙トレイ１０３を放熱部とすることにより、給紙トレイ１０３に格納されている用紙の防湿効果を持たせるようにしても良い。
また、実施例１、実施例２においては共にファンを用いて気流を生成し、冷却効率を高める例を説明したが、装置起動後、ＨＤＤ１０５の温度が上昇するまでは、上記実施例において説明したような冷却機能は重要ではない。従って、画像形成装置１００が起動した後、所定の時間若しくはＨＤＤ１０５の温度が所定の温度に達するまでは、縦支柱１１１、１１２及び横支柱１１３内部のファンの回転を停止することによって、冷却機能と消費電力との最適化を図ることができる。
【図面の簡単な説明】
【００２４】
【図１】本発明の実施例に係る画像形成装置の外観を示す斜視図である。
【図２】本発明の実施例に係る画像形成装置の一部を示す側面図である。
【図３】本発明の実施例に係る画像形成装置の一部を示す断面図である。
【図４】本発明の他の実施例に係る画像形成装置の一部を示す側面図である。
【図５】本発明の他の実施例に係る画像形成装置の一部を示す断面図である。
【符号の説明】
【００２５】
１００  画像形成装置、１０１  スキャナユニット、１０２  プリンタユニット、１０３  給紙トレイ、１０４  コントローラ、１０５  ＨＤＤ、１１０  装置筐体、１１１、１１２  縦支柱、１１１ａ、１１２ａ  通気孔、１１１ｂ、１１２ｂ  ファン、１１３  横支柱、１１３ａ、１１３ｂ  ファン
【図１】
2008188940.tif 000003
【図２】
2008188940.tif 000004
【図３】
2008188940.tif 000005
【図４】
2008188940.tif 000006
【図５】
2008188940.tif 000007